【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
第１基板と、
その内面が前記第１基板と対向するように位置する第２基板と、
前記第１基板と第２基板との間に形成された液晶層と、
前記第１基板の外面に形成された第１偏光板と、
前記第２基板の内面と反対側の外面に形成された第２偏光板と、
前記第１偏光板の後側に位置したバックライトと、
前記第１偏光板と前記バックライトとの間に形成され、互いに異なる屈折率を有する第１層及び第２層が交互に多数積層され、入射光のうち、一部分は反射させて、一部分は透過させる透明半透過膜と、
を備えることを特徴とする半透過型液晶表示装置。
【請求項２】
前記半透過膜は、前記第１偏光板と一体に形成されたことを特徴とする請求項１記載の半透過型液晶表示装置。
【請求項３】
前記半透過膜は、前記第１偏光板と分離された別の膜形態に形成されたことを特徴とする請求項１記載の半透過型液晶表示装置。
【請求項４】
前記半透過膜の第１層は、膜の面内に屈折率異方性を有し、前記第２層は、膜の面内に屈折率異方性を有しないことを特徴とする請求項１記載の半透過型液晶表示装置。
【請求項５】
前記半透過膜は、入射光の偏光状態及び方向によって透過率及び反射率の大きさが異なる異方性特性を有することを特徴とする請求項１記載の半透過型液晶表示装置。
【請求項６】
膜の厚さ方向をｚ軸とし、膜の面をｘ−ｙ面とする時、前記半透過膜の第１層及び第２層の３つの主屈折率ｎx、ｎy、ｎzは、
ｎ１x＝ｎ１z≠ｎ１y
ｎ２x＝ｎ２y＝ｎ２z
ｎ１x≠ｎ２x
ｎ１y≠ｎ２y
|ｎ１x−ｎ２x|＜|ｎ１y−ｎ２y|
（ただし、ｎ１x、ｎ１y、ｎ１zはそれぞれｘ軸、ｙ軸、ｚ軸方向における第１層の主屈折率を表し、ｎ２x、ｎ２y、ｎ２zはそれぞれｘ軸、ｙ軸、ｚ軸方向における第２層の主屈折率を表す）
の関係を満足することを特徴とする請求項５記載の半透過型液晶表示装置。
【請求項７】
前記半透過膜は、入射光の偏光状態及び方向と関係なく等方的に透過及び反射特性を有することを特徴とする請求項１記載の半透過型液晶表示装置。
【請求項８】
膜の厚さ方向をｚ軸とし、膜の面をｘ−ｙ面とする時、前記半透過膜の第１層及び第２層の３つの主屈折率ｎx、ｎy、ｎzは、
ｎ１x＝ｎ１y＝ｎ１z
ｎ２x＝ｎ２y＝ｎ２z≠ｎ１z
（ただし、ｎ１x、ｎ１y、ｎ１zはそれぞれｘ軸、ｙ軸、ｚ軸方向における第１層の主屈折率を表し、ｎ２x、ｎ２y、ｎ２zはそれぞれｘ軸、ｙ軸、ｚ軸方向における第２層の主屈折率を表す）
の関係を満足することを特徴とする請求項７記載の半透過型液晶表示装置。
【請求項９】
前記半透過膜は、入射光の偏光状態及び方向によって透過率及び反射率の大きさが異なる２つの異方性半透過膜を互いに垂直に付着して形成されたことを特徴とする請求項１記載の半透過型液晶表示装置。
【請求項１０】
前記半透過膜は、入射光の偏光状態及び方向によって透過率及び反射率の大きさが異なる第１半透過膜と、入射光の偏光状態及び方向と関係なく等方的に透過及び反射特性を有する第２半透過膜を付着して形成されたことを特徴とする請求項１記載の半透過型液晶表示装置。
【請求項１１】
前記半透過膜は、膜の面に垂直に光が入射する時、いずれの方向の偏光成分に対しても４％以上の反射率を有することを特徴とする請求項１記載の半透過型液晶表示装置。
【請求項１２】
前記第１基板又は前記第２基板に形成された光散乱層を更に備えることを特徴とする請求項１記載の半透過型液晶表示装置。
【請求項１３】
前記光散乱層は、前記第１基板と第１偏光板との間、前記第２基板と第２偏光板との間、又は、前記第１偏光板と半透過膜との間に形成されたことを特徴とする請求項１２記載の半透過型液晶表示装置。
【請求項１４】
前記第１基板又は前記第２基板に形成された位相差板を更に備えることを特徴とする請求項１記載の半透過型液晶表示装置。
【請求項１５】
前記位相差板は、前記第１基板と第１偏光板との間、又は、前記第２基板と第２偏光板との間に形成されたことを特徴とする請求項１４記載の半透過型液晶表示装置。
【請求項１６】
前記液晶層の屈折率異方性Δｎと厚さｄをかけた値Δｎｄが０.２〜０.６μｍ程度であることを特徴とする請求項１記載の半透過型液晶表示装置。
【請求項１７】
第１基板と、その内面が前記第１基板と対向するように位置した第２基板と、前記第１基板と第２基板との間に形成された液晶層とを含む液晶セルと、
前記第１基板の外面に形成された第１偏光板と、
前記第２基板の前記内面と反対側の外面に形成された第２偏光板と、
前記第１偏光板の後側に位置したバックライトと、
前記第１偏光板と前記バックライトとの間に形成され、互いに異なる屈折率を有する第１層及び第２層が交互に多数積層され構成された透明半透過膜とを具備し、
前記液晶セルの前面から入射し前記半透過膜から反射されて前記液晶セルの前面に出射する反射光経路と、前記バックライトから前記液晶セルの後面から入射し前記半透過膜を透過して前記液晶セルの前面に出射する透過光経路とを有することを特徴とする半透過型液晶表示装置。
【請求項１８】
前記半透過膜の第１層は、膜の面内に屈折率異方性を有し、前記第２層は、膜の面内に屈折率異方性を有しないことを特徴とする請求項１７記載の半透過型液晶表示装置。
【請求項１９】
前記半透過膜は、入射光の偏光状態及び方向によって透過率及び反射率の大きさが異なる異方性特性を有することを特徴とする請求項１７記載の半透過型液晶表示装置。
【請求項２０】
膜の厚さ方向をｚ軸とし、膜の面をｘ−ｙ面とする時、前記半透過膜の第１層及び第２層の３つの主屈折率ｎx、ｎy、ｎzは、
ｎ１x＝ｎ１z≠ｎ１y
ｎ２x＝ｎ２y＝ｎ２z
ｎ１x≠ｎ２x
ｎ１y≠ｎ２y
|ｎ１x−ｎ２x|？|ｎ１y−ｎ２y|
（ただし、ｎ１x、ｎ１y、ｎ１zはそれぞれｘ軸、ｙ軸、ｚ軸方向における第１層の主屈折率を表し、ｎ２x、ｎ２y、ｎ２zはそれぞれｘ軸、ｙ軸、ｚ軸方向における第２層の主屈折率を表す）
の関係を満足することを特徴とする請求項１９記載の半透過型液晶表示装置。
【請求項２１】
前記半透過膜は、入射光の偏光状態及び方向と関係なく等方的に透過及び反射特性を有することを特徴とする請求項１７記載の半透過型液晶表示装置。
【請求項２２】
膜の厚さ方向をｚ軸とし、膜の面をｘ−ｙ面とする時、前記半透過膜の第１層及び第２層の３つの主屈折率ｎx、ｎy、ｎzは、
ｎ１x＝ｎ１y＝ｎ１z
ｎ２x＝ｎ２y＝ｎ２z≠ｎ１z
（ただし、ｎ１x、ｎ１y、ｎ１zはそれぞれｘ軸、ｙ軸、ｚ軸方向における第１層の主屈折率を表し、ｎ２x、ｎ２y、ｎ２zはそれぞれｘ軸、ｙ軸、ｚ軸方向における第２層の主屈折率を表す）
の関係を満足することを特徴とする請求項２１記載の半透過型液晶表示装置。
【請求項２３】
前記半透過膜は、入射光の偏光状態及び方向によって、透過率及び反射率の大きさが異なる２つの異方性半透過膜を垂直に付着して形成されたことを特徴とする請求項１７記載の半透過型液晶表示装置。
【請求項２４】
前記半透過膜は、入射光の偏光状態及び方向によって透過率及び反射率の大きさが異なる第１半透過膜と、入射光の偏光状態及び方向と関係なく等方的に透過及び反射特性を有する第２半透過膜を付着して形成されたことを特徴とする請求項１７記載の半透過型液晶表示装置。
【請求項２５】
前記半透過膜は、膜の面に垂直に光が入射する時、いずれの方向の偏光成分に対しても４％以上の反射率を有することを特徴とする請求項１７記載の半透過型液晶表示装置。
【請求項２６】
前記第１基板又は前記第２基板に形成された光散乱層を更に具備することを特徴とする請求項１７記載の半透過型液晶表示装置。
【請求項２７】
第１透明電極が形成された第１基板と、
その内面が前記第１基板と対向するように位置し、前記内面に第２透明電極が形成された第２基板と、
前記第１基板と第２基板との間に形成された液晶層と、
前記第１基板の外面に形成された第１偏光板と、
前記第２基板の前記内面と反対側の外面に形成された第２偏光板と、
前記第１偏光板の後側に位置したバックライトと、
前記第１偏光板と前記バックライトとの間に形成され、互いに異なる屈折率を有する第１層及び第２層が交互に多数積層され、入射光うち一部分は反射させて一部分は透過させる透明半透過膜と、
を具備することを特徴とする半透過型液晶表示装置。
【請求項２８】
前記第１透明電極は信号電極であり、前記第２透明電極は走査電極であることを特徴とする請求項２７記載の半透過型液晶表示装置。
【請求項２９】
スイッチング素子及び前記スイッチング素子と接続する透明画素電極が形成された第１基板と、
その内面が前記第１基板と対向するように位置し、前記内面に透明共通電極が形成された第２基板と、
前記第１基板と第２基板との間に形成された液晶層と、
前記第１基板の外面に形成された第１偏光板と、
前記第２基板の前記内面と反対側の外面に形成された第２偏光板と、
前記第１偏光板の後側に位置したバックライトと、
前記第１偏光板と前記バックライトとの間に形成され、互いに異なる屈折率を有する第１層及び第２層が交互に多数積層され、入射光のうち一部分は反射させ、一部分は透過させる透明半透過膜と、
を具備することを特徴とする半透過型液晶表示装置。
【請求項３０】
前記スイッチング素子は、薄膜トランジスタであることを特徴とする請求項２９記載の半透過型液晶表示装置。
【請求項３１】
絶縁基板上に形成されたゲートライン、前記ゲートラインと絶縁され前記ゲートラインと交差するように形成されたデータライン、及び前記データラインと電気的に連結される画素電極を具備する第１基板と、
その内面が前記第１基板と対向するように位置し、前記内面に透明共通電極が形成された第２基板と、
前記第１基板と第２基板との間に形成された液晶層と、
前記第１基板の外面に形成された第１偏光板と、
前記第２基板の前記内面と反対側の外面に形成された第２偏光板と、
前記第１偏光板の後側に位置したバックライトと、
前記第１偏光板と前記バックライトとの間に形成され、互いに異なる屈折率を有する第１層及び第２層が交互に多数積層され、入射光のうち一部分は反射させ、一部分は透過させる透明半透過膜と、
を具備することを特徴とする半透過型液晶表示装置。
【請求項３２】
前記半透過膜は、入射光の偏光状態及び方向によって透過率及び反射率の大きさが異なる異方性特性を有することを特徴とする請求項３１記載の半透過型液晶表示装置。
【請求項３３】
前記半透過膜は、入射光の偏光状態及び方向と関係なく等方的に透過及び反射特性を有することを特徴とする請求項３１記載の半透過型液晶表示装置。
【請求項３４】
前記半透過膜は、入射光の偏光状態及び方向によって透過率及び反射率の大きさが異なる２つの異方性半透過膜を垂直に付着して形成されたことを特徴とする請求項３１記載の半透過型液晶表示装置。
【請求項３５】
前記半透過膜は、入射光の偏光状態及び方向によって透過率及び反射率の大きさが異なる第１半透過膜と、入射光の偏光状態及び方向と関係なく等方的に透過及び反射特性を有する第２半透過膜とを付着して形成されたことを特徴とする請求項３１記載の半透過型液晶表示装置。
【請求項３６】
前記半透過膜は、膜の面に垂直に光が入射する時、いずれの方向の偏光成分に対しても４％以上の反射率を有することを特徴とする請求項３１記載の半透過型液晶表示装置。
【請求項３７】
絶縁基板上に、ゲート電極、前記ゲート電極及び絶縁基板上に形成されたゲート絶縁膜、前記ゲート電極上のゲート絶縁膜上に形成されたアクティブパターン、及び前記アクティブパターン上に離隔して形成されたソース／ドレーン電極を含んで形成された薄膜トランジスタと、前記薄膜トランジスタのソース電極又はドレーン電極のうちいずれか一つと電気的に連結される画素電極とを具備する第１基板と、
その内面が前記第１基板と対向するように位置し、前記内面に透明共通電極が形成された第２基板と、
前記第１基板と第２基板との間に形成された液晶層と、
前記第１基板の外面に形成された第１偏光板と、
前記第２基板の前記内面と反対側の外面に形成された第２偏光板と、
前記第１偏光板の後側に位置したバックライトと、
前記第１偏光板と前記バックライトとの間に形成され、互いに異なる屈折率を有する第１層及び第２層が交互に多数積層されて、入射光のうち一部分は反射させて、一部分は透過させる透明半透過膜と、
を具備することを特徴とする半透過型液晶表示装置。
【請求項３８】
前記アクティブパターンは、多結晶シリコンで形成されたことを特徴とする請求項３７記載の半透過型液晶表示装置。
【請求項３９】
前記アクティブパターンは、非晶質シリコンで形成されたことを特徴とする請求項３７記載の半透過型液晶表示装置。
【請求項４０】
絶縁基板上にアクティブパターン、前記アクティブパターン及び絶縁基板上に形成されたゲート絶縁膜、前記アクティブパターン上のゲート絶縁膜上に形成されたゲート電極、前記ゲート電極及びゲート絶縁膜上に形成された層間絶縁膜、及び前記層間絶縁膜上に離隔して形成されたソース／ドレーン電極を含んで形成された薄膜トランジスタと、前記薄膜トランジスタのソース電極又はドレーン電極のうちいずれか一つと電気的に連結された画素電極とを具備する第１基板と、
その内面が前記第１基板と対向するように位置し、前記内面に透明共通電極が形成された第２基板と、
前記第１基板と第２基板との間に形成された液晶層と、
前記第１基板の外面に形成された第１偏光板と、
前記第２基板の前記内面と反対側の外面に形成された第２偏光板と、
前記第１偏光板の後側に位置したバックライトと、
前記第１偏光板と前記バックライトとの間に形成され、互いに異なる屈折率を有する第１層及び第２層が交互に多数積層され、入射光のうち一部分は反射させ、一部分は透過させる透明半透過膜と、
を具備することを特徴とする半透過型液晶表示装置。
【請求項４１】
前記アクティブパターンは、多結晶シリコンで形成されたことを特徴とする請求項４０記載の半透過型液晶表示装置。
【請求項４２】
前記アクティブパターンは、非晶質シリコンで形成されたことを特徴とする請求項４０記載の半透過型液晶表示装置。
【請求項４３】
絶縁基板上に形成され、複数のデータラインと複数のゲートラインとが交差してマトリックス形態に配列される表示セルアレー回路、及び前記絶縁基板上の前記表示セルアレー回路の第１領域に形成され、前記複数個のゲートラインを駆動するためのゲート駆動回路を具備する第１基板と、
その内面が前記第１基板と対向するように位置し、前記内面に透明共通電極が形成された第２基板と、
前記第１基板と第２基板との間に形成された液晶層と、
前記第１基板の外面に形成された第１偏光板と、
前記第２基板の前記内面と反対側の外面に形成された第２偏光板と、
前記第１偏光板の後側に位置したバックライトと、
前記第１偏光板と前記バックライトとの間に形成され、互いに異なる屈折率を有する第１層及び第２層が交互に多数積層され、入射光のうち一部分は反射させ、一部分は透過させる透明半透過膜と、
を具備することを特徴とする半透過型液晶表示装置。
【請求項４４】
前記絶縁基板上の前記表示セルアレー回路の第２領域に形成され、前記複数個のデータラインを駆動するためのデータ駆動回路を更に具備することを特徴とする請求項４３記載の半透過型液晶表示装置。
【請求項４５】
第１基板と、
その内面が前記第１基板に対向する第２基板と、
前記第１基板と第２基板との間に形成された液晶層と、
前記第１基板の外面に形成された第１偏光板と、
前記第２基板の外面に形成された第２偏光板と、
前記第１偏光板に入射光を照射するバックライトと、
前記第１偏光板と前記バックライトとの間に形成され、第１方向に偏光された入射光の第１偏光成分を反射し、前記第１方向と直交する第２方向に偏光された入射光の第２偏光成分を部分的に反射及び透過する半透過膜と、
を備えることを特徴とする半透過型液晶表示装置。
【請求項４６】
前記第１偏光板による入射光の透過方向は、前記半透過膜による入射光の部分的な反射光及び透過光の偏向方向と同一である請求項４５に記載の半透過型液晶表示装置。
【請求項４７】
前記半透過膜は、少なくとも第１層と第２層とを含み、前記第１層及び第２層は、互いに異なる屈折率を有し、交互に積層されている請求項４５に記載の半透過型液晶表示装置。
【請求項４８】
前記半透過膜は、前記第１偏光板と一体に形成されたことを特徴とする請求項４５記載の半透過型液晶表示装置。
【請求項４９】
前記半透過膜は、前記第１偏光板と分離された別の膜形態に形成されたことを特徴とする請求項４５記載の半透過型液晶表示装置。
【請求項５０】
前記半透過膜は少なくとも第１層と第２層とを含み、前記半透過膜の第１層は、膜の面内に屈折率異方性を有し、前記第２層は、膜の面内に屈折率異方性を有しないことを特徴とする請求項４５記載の半透過型液晶表示装置。
【請求項５１】
前記半透過膜は、入射光の偏光状態及び方向によって透過率及び反射率の大きさが異なる異方性特性を有することを特徴とする請求項４５記載の半透過型液晶表示装置。
【請求項５２】
前記半透過膜は少なくとも第１層および第２層を含み、膜の厚さ方向をｚ軸とし、膜の面をｘ−ｙ面とする時、前記半透過膜の第１層及び第２層の３つの主屈折率ｎx、ｎy、ｎzは、
ｎ１x＝ｎ１z≠ｎ１y
ｎ２x＝ｎ２y＝ｎ２z
ｎ１x≠ｎ２x
ｎ１y≠ｎ２y
|ｎ１x−ｎ２x|＜|ｎ１y−ｎ２y|
（ただし、ｎ１x、ｎ１y、ｎ１zはそれぞれｘ軸、ｙ軸、ｚ軸方向における第１層の主屈折率を表し、ｎ２x、ｎ２y、ｎ２zはそれぞれｘ軸、ｙ軸、ｚ軸方向における第２層の主屈折率を表す）
の関係を満足することを特徴とする請求項５１記載の半透過型液晶表示装置。
【請求項５３】
前記半透過膜は、入射光の偏光状態および方向によって変化する透過率および反射率を有する少なくとも２つの半透過膜で構成され、前記２つの半透過膜は一方が他方の上に配置されている請求項４５に記載の半透過型液晶表示装置。
【請求項５４】
前記半透過膜は、互いに垂直に配置された第１半透過膜と第２半透過膜とで構成され、前記第１半透過膜は入射光の偏光状態および方向により変化する透過率および反射率を有し、前記第２半透過膜は入射光の偏光状態および方向に関係なく等方性の透過率および反射率を有する、請求項４５に記載の半透過型液晶表示装置。
【請求項５５】
前記半透過膜は、前記入射光が膜の面に垂直に入射する時、いずれの方向の偏光成分に対しても４％以上の反射率を有することを特徴とする請求項４５に記載の半透過型液晶表示装置。
【請求項５６】
前記第１基板又は前記第２基板に形成された光散乱層を更に備えることを特徴とする請求項４５記載の半透過型液晶表示装置。
【請求項５７】
前記光散乱層は、前記第１基板と第１偏光板との間、前記第２基板と第２偏光板との間、又は、前記第１偏光板と半透過膜との間に形成されたことを特徴とする請求項５６記載の半透過型液晶表示装置。
【請求項５８】
前記第１基板又は前記第２基板に形成された位相差板を更に備えることを特徴とする請求項４５記載の半透過型液晶表示装置。
【請求項５９】
前記位相差板は、前記第１基板と第１偏光板との間、又は、前記第２基板と第２偏光板との間に形成されたことを特徴とする請求項５８記載の半透過型液晶表示装置。
【請求項６０】
前記液晶層は、屈折率異方性Δｎと厚さｄをかけた値Δｎｄが０.２〜０.６μｍ程度であることを特徴とする請求項４５記載の半透過型液晶表示装置。
【請求項６１】
第１基板と、その内面が前記第１基板と対向するように位置した第２基板と、前記第１基板と第２基板との間に形成された液晶層とを含む液晶セルと、
前記第１基板の外面に形成された第１偏光板と、
前記第２基板の外面に形成された第２偏光板と、
前記第１偏光板の後側に位置したバックライトと、
前記第１偏光板と前記バックライトとの間に形成され、互いに異なる屈折率を有する第１層及び第２層の複数の層で構成され、第１方向に偏光された入射光の第１偏光成分を反射し、前記第１方向と直交する第２方向に偏光された入射光の第２偏光成分を部分的に反射および透過する透明半透過膜とを具備し、
前記液晶セルの前面から入射し前記半透過膜によって反射されて前記液晶セルの前面に出射する反射光経路と、前記バックライトから前記液晶セルの後面から入射し前記半透過膜を透過して前記液晶セルの前面に出射する透過光経路とを有することを特徴とする入射光を部分的に反射および透過する半透過型液晶表示装置。
【請求項６２】
前記第１偏光板における入射光の透過方向は、前記半透過膜における部分的な反射および透過方向と同一である請求項６１に記載の半透過型液晶表示装置。
【請求項６３】
前記半透過膜の第１層は、膜の面内に屈折率異方性を有し、前記第２層は、膜の面内に屈折率異方性を有しないことを特徴とする請求項６１記載の半透過型液晶表示装置。
【請求項６４】
前記半透過膜は、入射光の偏光状態及び方向によって透過率及び反射率の大きさが異なる異方性特性を有することを特徴とする請求項６１記載の半透過型液晶表示装置。
【請求項６５】
膜の厚さ方向をｚ軸とし、膜の面をｘ−ｙ面とする時、前記半透過膜の第１層及び第２層の３つの主屈折率ｎx、ｎy、ｎzは、
ｎ１x＝ｎ１z≠ｎ１y
ｎ２x＝ｎ２y＝ｎ２z
ｎ１x≠ｎ２x
ｎ１y≠ｎ２y
|ｎ１x−ｎ２x|＜|ｎ１y−ｎ２y|
（ただし、ｎ１x、ｎ１y、ｎ１zはそれぞれｘ軸、ｙ軸、ｚ軸方向における第１層の主屈折率を表し、ｎ２x、ｎ２y、ｎ２zはそれぞれｘ軸、ｙ軸、ｚ軸方向における第２層の主屈折率を表す）
の関係を満足することを特徴とする請求項６４記載の半透過型液晶表示装置。
【請求項６６】
前記半透過膜は、入射光の偏光状態及び方向により変化する透光率および反射率を有する２つの半透過膜からなり、前記２つの半透過膜は互いに垂直に配列されている請求項６１に記載の半透過型液晶表示装置。
【請求項６７】
前記半透過膜は、入射光の偏光状態及び方向によって透過率及び反射率の大きさが異なる第１半透過膜と、入射光の偏光状態及び方向と関係なく等方的に透過及び反射特性を有する第２半透過膜を付着して形成されたことを特徴とする請求項６１記載の半透過型液晶表示装置。
【請求項６８】
前記半透過膜は、膜の面に垂直に光が入射する時、いずれの方向の偏光成分に対しても４％以上の反射率を有することを特徴とする請求項６１記載の半透過型液晶表示装置。
【請求項６９】
前記第１基板又は前記第２基板に形成された光散乱層を更に具備することを特徴とする請求項６１記載の半透過型液晶表示装置。
【請求項７０】
第１透明電極が形成された第１基板と、
前記第１基板と対向するように位置し、前記内面に第２透明電極が形成された第２基板と、
前記第１基板と第２基板との間に形成された液晶層と、
前記第１基板の外面に形成された第１偏光板と、
前記第２基板の前記内面に対向して前記第２基板の外面に形成された第２偏光板と、
前記第１偏光板の後側に位置したバックライトと、
前記第１偏光板と前記バックライトとの間に形成され、第１方向に偏光された入射光の第１偏光成分を反射し、前記第１方向と直交する第２方向に偏光された入射光の第２偏光成分を部分的に反射および透過する半透過膜と、
を具備することを特徴とする半透過型液晶表示装置。
【請求項７１】
前記半透過膜は少なくとも第１層と第２層とを含み、前記第１層と第２層とは、互いに異なる反射率を有し、交互に積層されていることを特徴とする請求項７０に記載の半透過型液晶表示装置。
【請求項７２】
前記第１透明電極は信号電極であり、前記第２透明電極は走査電極であることを特徴とする請求項７０記載の半透過型液晶表示装置。
【請求項７３】
スイッチング素子及び前記スイッチング素子と接続する透明画素電極が形成された第１基板と、
前記第１基板と対向するように位置し、前記内面に透明共通電極が形成された第２基板と、
前記第１基板と第２基板との間に形成された液晶層と、
前記第１基板の外面に形成された第１偏光板と、
前記第２基板の前記内面と反対側の外面に形成された第２偏光板と、
前記第１偏光板の後側に位置したバックライトと、
前記第１偏光板と前記バックライトとの間に形成され、互いに異なる屈折率を有する第１層及び第２層が交互に多数積層され、第１方向に偏光された入射光の第１偏光成分を反射し、前記第１方向に直交する第２方向に偏光された入射光の第２成分を部分的に反射および透過する透明半透過膜と、
を具備することを特徴とする半透過型液晶表示装置。